(57)【特許請求の範囲】
【請求項１】
状態管理ブロックと、呼処理ブロックと、無線割当ブロックと、統計処理ブロックと、基地局管理装置とを含む拡張通話領域基地局における基本通話領域用基本チャネル要素と拡張通話領域用拡張チャネル要素とからなるチャネル要素対の状態を管理する方法において、
前記各基本チャネル要素と拡張チャネル要素とが自分の現在状態を前記状態管理ブロックに報告するステップと、
前記状態管理ブロックで前記現在状態を組合せて組合状態を生成するステップと、
前記状態管理ブロックから前記組合状態を前記呼処理ブロックと前記無線割当ブロックとからなる集合部及び前記統計処理ブロックと前記基地局管理装置とからなる集合部に報告するステップと
からなることを特徴とする拡張通話領域基地局におけるチャネル要素状態管理方法。
【請求項２】
前記現在状態は、異常状態、ローディング状態及び通話状態の中いずれか一つであることを特徴とする請求項１に記載の拡張通話領域基地局におけるチャネル要素状態管理方法。
【請求項３】
前記状態管理ブロックで前記現在状態を組合せて組合状態を生成するステップは、
前記状態管理ブロックから前記現在状態を組合せず、前記統計処理ブロックと前記基地局管理装置とからなる集合部に報告するステップ
を備えることを特徴とする請求項２に記載の拡張通話領域基地局におけるチャネル要素管理方法。
【請求項４】
前記状態管理ブロックで前記現在状態を組合せて組合状態を生成するステップは、
前記呼処理ブロックと前記無線割当ブロックとからなる集合部に報告する時、前記現在状態が前記異常状態を含んでいるか否かを決定するステップと、
前記現在状態が前記異常状態を含んでいなければ、前記現在状態が前記ローディング状態を含んでいるか否かを決定するステップと、
前記現在状態が前記ローディング状態を含んでいなければ、前記現在状態が前記通話状態を含んでいるか否かを決定するステップと、
前記現在状態が前記通話状態を含んでいなければ、前記現在状態を組合せて前記アイドル状態を生成するステップと
を備えることを特徴とする請求項３に記載の拡張通話領域基地局におけるチャネル要素管理方法。
【請求項５】
前記現在状態が前記異常状態を含んでいなければ、前記現在状態が前記ローディング状態を含んでいるか否かを決定するステップは、
前記現在状態が前記異常状態を含んでいれば、前記現在状態を組合せて前記異常状態を生成するステップ
を備えることを特徴とする請求項４に記載の拡張通話領域基地局におけるチャネル要素管理方法。
【請求項６】
前記現在状態が前記ローディング状態を含んでいなければ、前記現在状態が前記通話状態を含んでいるか否かを決定するステップは、
前記現在状態が前記ローディング状態を含んでいれば、前記現在状態を組合せて前記ローディング状態を生成するステップ
を備えることを特徴とする請求項５に記載の拡張通話領域基地局におけるチャネル要素管理方法。
【請求項７】
前記現在状態が前記通話状態を含んでいなければ、前記現在状態を組合せて前記アイドル状態を生成するステップは、
前記現在状態が前記通話状態を含んでいれば、前記現在状態を組合せて前記通話状態を生成するステップ
を備えることを特徴とする請求項６に記載の拡張通話領域基地局におけるチャネル要素管理方法。
【請求項８】
前記状態管理ブロックで前記現在状態を組合せず、前記統計処理ブロックと前記基地局管理装置とからなる集合部に報告するステップは、
前記統計処理ブロックと前記基地局管理装置とからなる集合部に報告する時、前記現在状態が前記異常状態を含んでいるか否かを決定するステップと、
前記現在状態が前記異常状態を含んでいなければ、前記現在状態が前記ローディング状態を含んでいるか否かを決定するステップと、
前記現在状態が前記ローディング状態を含んでいなければ、前記現在状態が前記通話状態を含んでいるか否かを決定するステップと、
前記現在状態が前記通話状態を含んでいなければ、前記状態管理ブロックで前記現在状態を組合せず、前記基本チャネル要素と前記拡張チャネル要素との各々の現在状態を前記統計処理ブロックと前記基地局管理装置とからなる集合部に報告するステップと
を備えることを特徴とする請求項７に記載の拡張通話領域基地局におけるチャネル要素管理方法。
【請求項９】
前記現在状態が前記異常状態を含んでいなければ、前記現在状態が前記ローディング状態を含んでいるか否かを決定するステップは、
前記現在状態が前記異常状態を含んでいれば、前記状態管理ブロックで前記現在状態を組合せず、前記基本チャネル要素と前記拡張チャネル要素との各々の現在状態を前記統計処理ブロックと前記基地局管理装置とからなる集合部に報告するステップ
を備えることを特徴とする請求項８に記載の拡張通話領域基地局におけるチャネル要素管理方法。
【請求項１０】
前記現在状態が前記ローディング状態を含んでいなければ、前記現在状態が前記通話状態を含んでいるか否かを決定するステップは、
前記現在状態が前記ローディング状態を含んでいれば、前記状態管理ブロックで前記現在状態を組合せず、前記基本チャネル要素と前記拡張チャネル要素との各々の現在状態を前記統計処理ブロックと前記基地局管理装置とからなる集合部に報告するステップ
を備えることを特徴とする請求項９に記載の拡張通話領域基地局におけるチャネル要素管理方法。
【請求項１１】
前記現在状態が前記通話状態を含んでいなければ、前記状態管理ブロックで前記現在状態を組合せず、前記基本チャネル要素と前記拡張チャネル要素との各々の現在状態を前記統計処理ブロックと前記基地局管理装置とからなる集合部に報告するステップは、
前記現在状態が前記基本チャネル要素に対して前記通話状態であり、前記拡張チャネル要素に対して前記アイドル状態であるならば、前記現在状態を組合せて前記基本領域で呼が設定されていることを示す組合状態を生成するステップと、前記現在状態が前記基本チャネル要素に対して前記アイドル状態であり、前記拡張チャネル要素に対して前記通話状態であるならば、前記現在状態を組合せて前記拡張領域で呼が設定されていることを示す組合状態を生成するステップと、前記基本チャネル要素と前記拡張チャネル要素との各々の現在状態が前記通話状態と前記アイドル状態とから前記通話状態と前記通話状態に遷移すれば、前記現在状態を組合せてハンドオフが前記基本領域から前記拡張領域に行われていることを示す組合状態を生成するステップと、
前記基本チャネル要素と前記拡張チャネル要素との各々の現在状態が前記アイドル状態と前記通話状態とから前記通話状態と前記通話状態とに遷移すれば、前記現在状態を組合せてハンドオフが前記拡張領域から前記基本領域に行われていることを示す組合状態を生成するステップと、
前記基本チャネル要素と前記拡張チャネル要素との各々の現在状態が前記通話状態と前記通話状態とから前記通話状態と前記アイドル状態とに遷移すれば、前記現在状態を組合せて呼がハンドオフ領域から前記基本領域に移動していることを示す組合状態を生成するステップと、
前記基本チャネル要素と前記拡張チャネル要素との各々の現在状態が前記通話状態と前記通話状態とから前記アイドル状態と前記通話状態とに遷移すれば、前記現在状態を組合せて呼が前記ハンドオフ領域から前記拡張領域に移動していることを示す組合状態を生成するステップと
を備えることを特徴とする請求項１０に記載の拡張通話領域基地局におけるチャネル要素管理方法。
【発明の詳細な説明】
【０００１】
【発明の属する技術分野】
本発明は、移動通信システムでの拡張通話圏域基地局におけるチャネル状態管理方法に関し、より詳細には、少なくとも二つ以上のチャネル状態が少なくても二つのチャネル要素の各々から報告される移動通信システムでの拡張通話圏域基地局におけるチャネル状態管理方法に関する。
【０００２】
【従来の技術】
一般に、移動局と、基地局（ＢＴＳ）と、制御局（ＢＳＣ）と、交換局（ＭＳＣ）とから構成されるＣＤＭＡ（Ｃｏｄｅ  Ｄｉｖｉｓｉｏｎ  Ｍｕｌｔｉｐｌｅ  Ａｃｃｅｓｓ）方式の移動通信システムにおいて、通話圏域は、ＣＳＭ（Ｃｅｌｌ  Ｓｉｔｅ  Ｍｏｄｅｍ）エーシック（Ａｓｉｃ）の限界により半径６０ｋｍ以内に制限され、通常都心では移動通信システムの容量に応じて、半径７ｋｍ以内のセル領域であるならば、サービスを提供することが可能である。
【０００３】
しかし、海岸や島地域のように基地局を設置することが難しい場所か、広い地域に対して加入者密度の低い田舎地域においてサービスをしなければならない場合には、不要な基地局を設置する必要があるという問題点があった。
【０００４】
したがって、従来は、前記ＣＳＭエーシックの再設計なしに簡単なハードウェア修正とソフトウェア制御によりＣＳＭエーシック２個を一対に使用して６０ｋｍ以内の基本領域（Ｎｏｒｍａｌ  Ｒｅｇｉｏｎ）を担当し、６０〜１２０ｋｍの拡張された拡張領域（Ｅｘｔｅｎｄ  Ｒｅｇｉｏｎ）を担当することによって通話圏域を拡張しようとした。
【０００５】
上記のように、従来にはＣＳＭエーシック別に通話圏域を基本領域と拡張領域とに分けて全体通話圏域を拡張することとなるが、この場合、移動端末器が基本領域から拡張領域に、またはその反対に、拡張領域から基本領域に移動する場合に、通話断絶なしに圏域間の円滑な呼処理のために、２個のＣＳＭエーシック全部が逆方向チャネル信号を位相トラッキング（Ｐｈａｓｅ  Ｔｒａｃｋｉｎｇ）できる共通領域（Ｃｏｍｍｏｎ  Ｒｅｇｉｏｎ）、すなわちハンドオフ領域（Ｈａｎｄｏｆｆ  Ｒｅｇｉｏｎ）が必要となる。
【０００６】
従来、単一通貨圏域基地局は、ＣＳＭ一つが一つの順方向／逆方向トラフィックチャネルをカバーする方式であり、この場合、単一通貨圏域基地局のチャネル状態管理方法は、以下のようになされる。
【０００７】
ＣＳＭと一対一に対応する各々のチャネル要素が、自分の状態を正常的な動作をしない異常（Ａｂｎｏｒｍａｌ）状態、初期化状態であるローディング（Ｌｏａｄｉｎｇ）状態、正常的に初期化された後、呼割当を待つアイドル（Ｉｄｌｅ）状態と、通話状態である通話（Ｂｕｓｙ）中状態とに各々区分して上位制御プロセッサであるＢＣＰ（ＢＴＳ  Ｃｏｎｔｒｏｌ  Ｐｒｏｃｅｓｓｏｒ）の状態管理ブロックに報告する。
【０００８】
次いで、前記ＢＣＰは、再び自分の上位プロセッサである制御局のＣＣＰ（Ｃａｌｌ  Ｃｏｎｔｒｏｌ  Ｐｒｏｃｅｓｓｏｒ）にチャネル要素の状態を報告する。
【０００９】
ＢＣＰ／ＣＣＰの状態管理ブロック（Ｓｔａｔｅ  Ｍａｎａｇｅｍｅｎｔ  Ｂｌｏｃｋ：以下、ＳＭＢという）は、報告されたチャネル要素の状態を管理しながら呼処理ブロック（Ｃａｌｌ  Ｐｒｏｃｅｓｓｉｎｇ  Ｂｌｏｃｋ：以下、ＣＰＢという）と、統計処理ブロック（Ｓｔａｔｉｓｔｉｃｓ  Ｐｒｏｃｅｓｓｉｎｇ  Ｂｌｏｃｋ：以下、ＳＰＢという）と、資源割当ブロック（Ｒｅｓｏｕｒｃｅ  Ａｌｌｏｃａｔｉｏｎ  Ｂｌｏｃｋ：以下、ＲＡＢという）とで、必要なデータベースを提供する。
【００１０】
【発明が解決しようとする課題】
しかしながら、前記通話圏域を基本領域と、ハンドオフ領域と、拡張領域とに分ける拡張通話圏域基地局では、一対の固定された物理的チャネルを一つの論理的チャネルに設定して呼処理を行う。これによって、単一通貨圏域基地局で一つのＣＳＭで処理する従来のチャネル状態管理方法では拡張通話圏域サービスをすることに通話断絶などのような種々の問題点が発生し、拡張通話圏域基地局の運用が不可能となるという問題がある。
【００１１】
本発明は、このような問題に鑑みてなされたもので、その目的とするところは、拡張通話圏域基地局の運用を可能にする移動通信システムでの拡張通話領域基地局におけるチャネル要素管理方法を提供することにある。
【００１２】
【課題を解決するための手段】
本発明は、このような目的を達成するために、請求項１に記載の発明は、状態管理ブロックと、呼処理ブロックと、無線割当ブロックと、統計処理ブロックと、基地局管理装置とを含む拡張通話領域基地局における基本通話領域用基本チャネル要素と拡張通話領域用拡張チャネル要素とからなるチャネル要素対の状態を管理する方法において、前記各基本チャネル要素と拡張チャネル要素とが自分の現在状態を前記状態管理ブロックに報告するステップと、前記状態管理ブロックで前記現在状態を組合せて組合状態を生成するステップと、前記状態管理ブロックから前記組合状態を前記呼処理ブロックと前記無線割当ブロックとからなる集合部及び前記統計処理ブロックと前記基地局管理装置とからなる集合部に報告するステップとからなることを特徴とする。
【００１３】
請求項２に記載の発明は、請求項１に記載の発明において、前記現在状態が、異常（ａｂｎｏｒｍａｌ）状態、ローディング（ｌｏａｄｉｎｇ）状態及び通話（ｂｕｓｙ）状態の中いずれか一つであることを特徴とする。
【００１４】
請求項３に記載の発明は、請求項２に記載の発明において、前記状態管理ブロックで前記現在状態を組合せて組合状態を生成するステップが、前記状態管理ブロックから前記現在状態を組合せず、前記統計処理ブロックと前記基地局管理装置とからなる集合部に報告するステップを備えることを特徴とする。
【００１５】
請求項４に記載の発明は、請求項３に記載の発明において、前記状態管理ブロックで前記現在状態を組合せて組合状態を生成するステップが、前記呼処理ブロックと前記無線割当ブロックとからなる集合部に報告する時、前記現在状態が前記異常状態を含んでいるか否かを決定するステップと、前記現在状態が前記異常状態を含んでいなければ、前記現在状態が前記ローディング状態を含んでいるか否かを決定するステップと、前記現在状態が前記ローディング状態を含んでいなければ、前記現在状態が前記通話状態を含んでいるか否かを決定するステップと、前記現在状態が前記通話状態を含んでいなければ、前記現在状態を組合せて前記アイドル状態を生成するステップとを備えることを特徴とする。
【００１６】
請求項５に記載の発明は、請求項４に記載の発明において、前記現在状態が前記異常状態を含んでいなければ前記現在状態が前記ローディング状態を含んでいるか否かを決定するステップが、前記現在状態が前記異常状態を含んでいる場合には、前記現在状態を組合せて前記異常状態を生成するステップを備えることを特徴とする。
【００１７】
請求項６に記載の発明は、請求項５に記載の発明において、前記現在状態が前記ローディング状態を含んでいなければ前記現在状態が前記通話状態を含んでいるか否かを決定するステップが、前記現在状態が前記ローディング状態を含んでいる場合には、前記現在状態を組合せて前記ローディング状態を生成するステップを備えることを特徴とする。
【００１８】
請求項７に記載の発明は、請求項６に記載の発明において、前記現在状態が前記通話状態を含んでいなければ前記現在状態を組合せて前記アイドル状態を生成するステップが、前記現在状態が前記通話状態を含んでいる場合には、前記現在状態を組合せて前記通話状態を生成するステップを備えることを特徴とする。
【００１９】
請求項８に記載の発明は、請求項７に記載の発明において、前記状態管理ブロックで前記現在状態を組合せず、前記統計処理ブロックと前記基地局管理装置とからなる集合部に報告するステップが、前記統計処理ブロックと前記基地局管理装置とからなる集合部に報告する時、前記現在状態が前記異常状態を含んでいるか否かを決定するステップと、前記現在状態が前記異常状態を含んでいなければ、前記現在状態が前記ローディング状態を含んでいるか否かを決定するステップと、前記現在状態が前記ローディング状態を含んでいなければ、前記現在状態が前記通話状態を含んでいるか否かを決定するステップと、前記現在状態が前記通話状態を含んでいなければ、前記状態管理ブロックで前記現在状態を組合せず、前記基本チャネル要素と前記拡張チャネル要素との各々の現在状態を前記統計処理ブロックと前記基地局管理装置とからなる集合部に報告するステップとを備えることを特徴とする。
【００２０】
請求項９に記載の発明は、請求項８に記載の発明において、前記現在状態が前記異常状態を含んでいなければ前記現在状態が前記ローディング状態を含んでいるか否かを決定するステップが、前記現在状態が前記異常状態を含んでいる場合に、前記状態管理ブロックで前記現在状態を組合せず、前記基本チャネル要素と前記拡張チャネル要素との各々の現在状態を前記統計処理ブロックと前記基地局管理装置とからなる集合部に報告するステップを備えることを特徴とする。
【００２１】
請求項１０に記載の発明は、請求項９に記載の発明において、前記現在状態が前記ローディング状態を含んでいなければ、前記現在状態が前記通話状態を含んでいるか否かを決定するステップが、前記現在状態が前記ローディング状態を含んでいる場合には、前記状態管理ブロックで前記現在状態を組合せず、前記基本チャネル要素と前記拡張チャネル要素との各々の現在状態を前記統計処理ブロックと前記基地局管理装置とからなる集合部に報告するステップを備えることを特徴とする。
【００２２】
請求項１１に記載の発明は、請求項１０に記載の発明において、前記現在状態が前記通話状態を含んでいなければ前記状態管理ブロックで前記現在状態を組合せず、前記基本チャネル要素と前記拡張チャネル要素との各々の現在状態を前記統計処理ブロックと前記基地局管理装置とからなる集合部に報告するステップが、前記現在状態が前記基本チャネル要素に対して前記通話状態であり、前記拡張チャネル要素に対して前記アイドル状態であるならば、前記現在状態を組合せて前記基本領域で呼が設定されていることを示す組合状態を生成するステップと、前記現在状態が前記基本チャネル要素に対して前記アイドル状態であり、前記拡張チャネル要素に対して前記通話状態であるならば、前記現在状態を組合せて前記拡張領域で呼が設定されていることを示す組合状態を生成するステップと、前記基本チャネル要素と前記拡張チャネル要素との各々の現在状態が前記通話状態と前記アイドル状態とから前記通話状態と前記通話状態に遷移すれば、前記現在状態を組合せてハンドオフが前記基本領域から前記拡張領域に行われていることを示す組合状態を生成するステップと、前記基本チャネル要素と前記拡張チャネル要素との各々の現在状態が前記アイドル状態と前記通話状態とから前記通話状態と前記通話状態とに遷移すれば、前記現在状態を組合せてハンドオフが前記拡張領域から前記基本領域に行われていることを示す組合状態を生成するステップと、前記基本チャネル要素と前記拡張チャネル要素との各々の現在状態が前記通話状態と前記通話状態とから前記通話状態と前記アイドル状態とに遷移すれば、前記現在状態を組合せて呼がハンドオフ領域から前記基本領域に移動していることを示す組合状態を生成するステップと、前記基本チャネル要素と前記拡張チャネル要素との各々の現在状態が前記通話状態と前記通話状態とから前記アイドル状態と前記通話状態とに遷移すれば、前記現在状態を組合せて呼が前記ハンドオフ領域から前記拡張領域に移動していることを示す組合状態を生成するステップとを備えることを特徴とする。
【００２３】
【発明の実施の形態】
以下、図面を参照して本発明の実施例について説明する。
図１は、本発明に係る拡張通話圏域基地局におけるチャネル状態管理方法を行うためのブロック構成図であり、拡張通話圏域基地局で基本領域を担当する基本領域チャネル要素１０と、拡張通話圏域基地局で拡張領域を担当する拡張領域チャネル要素２０と、基地局（ＢＴＳ）／制御局（ＢＳＣ）の状態管理ブロックとして、基本領域チャネル要素１０と拡張領域チャネル要素２０とから報告されたチャネル要素の状態を組合処理するＳＭＢ３０と、ＳＭＢ３０で組合処理されたチャネル要素の状態に応じて呼処理のためのＣＰＢ４０と、ＳＭＢ３０で組合処理されたチャネル要素の状態に応じて資源割当のためのＲＡＢ５０と、ＳＭＢ３０で組合処理されたチャネル要素の状態に応じて統計処理のためのＳＰＢ６０と、ＳＭＢ３０で組合処理されたチャネル要素の状態に応じてシステム管理のためのＢＳＭ（Ｂａｓｅ  Ｓｔａｔｉｏｎ  Ｍａｎａｇｅｒ）７０とで構成される。
【００２４】
本発明にかかる拡張通話圏域基地局のチャネル状態管理方法を行うために、次のような条件を満足する必要がある。
【００２５】
第１に、一対の固定された基本領域チャネル要素１０及び拡張領域チャネル要素２０に一つの論理的チャネルを構成することにおいて、ＣＰＢ４０の変更なしに円滑な呼処理が行われ、第２に、ＲＡＢ５０の変更なしに資源割当及び解除が行われるべきである。第３に、基本領域チャネル要素１０及び拡張領域チャネル要素２０の状態報告ルーチンを変更せず、第４に、ＳＰＢ６０での統計処理やＢＳＭ７０でのディスプレー（Ｄｉｓｐｌａｙ）のために物理的チャネル及び論理的チャネルの状態を全部正確に把握しなければならない。
【００２６】
上述したように、拡張通話圏域サービスを提供するためには、二つ以上のチャネル要素からなる物理的チャネル要素対を論理チャネルに想定する必要がある。なぜならば、一つの移動局には一つのチャネルが割当てられるべきだからである。
【００２７】
関連した論理的観点において、通話関連機能、例えば、呼処理、資源の割当／解除などを行うために、ＳＭＢ３０は、基本領域チャネル要素と拡張領域チャネル要素との各々の状態を組合せる必要がある。そのようにして、物理的チャネル要素対を利用して構成された論理チャネルが移動局に割当てられる。
【００２８】
この場合において、一対の基本領域チャネル要素と拡張領域チャネル要素とが全部正常的に初期化された時のみ呼を割当てるべきであり、もし一つのチャネル要素のみが正常的な状態で呼が割当てられた場合、領域移動が起きると、領域境界で通話断絶が発生することとなる。
【００２９】
また、一対の基本領域チャネル要素１０と拡張領域チャネル要素２０とのいずれか一つのチャネル要素のみが通話状態であっても、一対の基本領域チャネル要素１０と拡張領域チャネル要素２０とが全部通話状態であるべきであり、もし一対の基本領域チャネル要素１０と拡張領域チャネル要素２０とに互いに異なる呼が割当てられ、領域移動が起きれば、やはり領域境界で通話断絶が発生することとなる。
【００３０】
したがって、通話断絶を防止するために、基本領域チャネル要素と拡張領域チャネル要素との全部が通話状態にある必要がある。
【００３１】
基本領域チャネル要素１０と拡張領域チャネル要素２０との各々の状態を組合せて組合状態を構成した後、ＳＭＢ３０は、組合状態をＣＰＢ４０、ＲＡＢ５０、ＳＰＢ６０及びＢＳＭ７０に報告すべきである。
【００３２】
ＣＰＢ４０とＲＡＢ５０とに組合状態を報告する際して、ＳＭＢ３０は、基本領域チャネル要素１０と拡張領域チャネル要素２０との二つの状態を知っている必要はない。すなわち、いずれか一方の状態を知っているだけでもＳＭＢ３０は、組合状態を構成することができる。
【００３３】
しかし、組合状態をＳＰＢ６０及びＢＳＭ７０に報告する時には、ＳＭＢ３０は、統計処理がＳＰＢ６０で行われ、システムディスプレー（ｓｙｓｔｅｍ  ｄｉｓｐｌａｙ）がＢＳＭ７０で行われるように、基本領域チャネル要素１０と拡張領域チャネル要素２０との二つの状態を知っているべきである。
【００３４】
特に、移動端末器がどの領域で呼設定され、現在どの領域に位置しているかなどの情報は、基本領域と拡張領域での通話成功率やハンドオフ成功率のような統計を出す根拠となる。
【００３５】
また、ＢＳＭ７０でもこのような情報を知っていれば、現在通話状態をより正確に把握することができるようになる。
【００３６】
図２は、本発明にかかる拡張通話圏域基地局でチャネル状態を管理してＣＰＢ／ＲＡＢにチャネル状態を報告する方法を示すフローチャートである。
【００３７】
図１及び図２を参照しながら説明すれば、ステップＳ１０において、基本領域チャネル要素と拡張領域チャネル要素とから構成された一対のチャネル要素は、ＳＭＢ３０に基本領域チャネル要素１０と拡張領域チャネル要素２０との各々の現状態を報告する。この場合、各チャネル要素は、異常状態、ローディング状態、アイドル状態、または通話状態のいずれか一つに該当する。
【００３８】
異常状態は、チャネル要素が正常的に動作しない状態を示す。ローディング状態は、チャネル要素が初期化状態であることを意味する。アイドル状態は、チャネル要素が正常的に初期化された後、呼割当を待つ状態である。通話状態は通話中であることを示す。
【００３９】
ステップＳ２０において、ＳＭＢ３０は、報告された基本領域チャネル要素１０と拡張領域チャネル要素１０との各々の現状態を組合せるために、報告された現状態に異常状態が含まれているか否かを決定する。この場合、異常状態が含まれていなければ、ステップＳ３０に進行し、含まれていれば、ステップＳ７０に進行する。
【００４０】
ステップＳ３０において、ＳＭＢ３０は、報告された現状態にローディング状態が含まれているか否かを決定する。この場合、ローディング状態が含まれていなけらば、ステップＳ４０に進行し、含まれていれば、ステップＳ８０に進行する。
【００４１】
ステップＳ４０において、ＳＭＢ３０は、報告された現状態に通話状態が含まれているか否かを決定する。この場合、通話状態が含まれていなければ、ステップＳ５０に進行し、含まれていれば、ステップＳ９０に進行する。
【００４２】
ステップＳ５０において、ＳＭＢ３０は、各チャネル要素の現状態を組合せてアイドル状態を構成する。
【００４３】
ステップＳ６０において、ＳＭＢ３０は、各チャネル要素の現状態を組合せることによって構成された状態をＣＰＢ４０及びＲＡＢ５０に報告する。
【００４４】
ステップＳ７０において、各チャネル要素の現状態を組合せて異常状態を構成する。
【００４５】
ステップＳ８０において、各チャネル要素の現状態を組合せてローディング状態を構成する。
【００４６】
ステップＳ９０において、各チャネル要素の現状態を組合せて通話状態を構成する。
【００４７】
図３は、本発明にかかる拡張通話圏域基地局でチャネル状態を管理し、ＳＰＢ／ＢＳＭにチャネル状態を報告する方法を示すフローチャートである。
【００４８】
図１と図３とを参照しながら説明すれば、ステップＳ１００において、基本領域チャネル要素と拡張領域チャネル要素とで構成された一対のチャネル要素は、ＳＭＢ３０に基本領域チャネル要素１０と拡張領域チャネル要素２０との各々の現状態を報告する。この場合、各チャネル要素は、異常状態、ローディング状態、アイドル状態、または通話状態中のいずれか一つに該当する。
【００４９】
ステップＳ２００において、ＳＭＢ３０は、報告された基本領域チャネル要素１０と拡張領域チャネル要素１０との各々の現状態を組合せるために、報告された現状態に異常状態が含まれているか否かを決定する。この場合、異常状態が含まれていなければ、ステップＳ３００に進行し、含まれていれば、ステップＳ５００に進行する。
【００５０】
ステップＳ３００において、ＳＭＢ３０は、報告された現状態にローディング状態が含まれているか否かを決定する。この場合、ローディング状態が含まれていなければ、ステップＳ４００に進行し、含まれていれば、ステップＳ５００に進行する。
【００５１】
ステップＳ４００において、ＳＭＢ３０は、報告された現状態に通話状態が含まれているか否かを決定する。この場合、通話状態が含まれていなければ、ステップＳ５００に進行し、含まれていれば、ステップＳ６００に進行する。
【００５２】
ステップＳ５００において、ＳＭＢ３０は、各チャネル要素の現状態を組合せず、各チャネル要素から報告され通り、ＳＰＢ６０及びＢＳＭ７０に報告する。
【００５３】
ステップＳ６００において、ＳＭＢ３０は、各チャネル要素を組合せて組合わせられた状態を構成する。すなわち、現在状態が基本チャネル要素に対して通話状態であり、拡張チャネル要素に対してアイドル状態であるならば、現在状態を組合せて基本領域で呼が設定されていることを示す組合状態を構成する。現在状態が基本チャネル要素に対してアイドル状態であり、拡張チャネル要素に対して通話状態であるならば、現在状態を組合せて拡張領域で呼が設定されていることを示す組合状態を構成する。基本チャネル要素と拡張チャネル要素との各々の現在状態が通話状態とアイドル状態とから通話状態と通話状態とに遷移すれば、現在状態を組合せてハンドオフが基本領域から拡張領域に行われていることを示す組合状態を構成する。基本チャネル要素と拡張チャネル要素との各々の現在状態がアイドル状態と通話状態から通話状態と通話状態とに遷移すれば、現在状態を組合せてハンドオフが拡張領域から基本領域に行われていることを示す組合状態を構成する。基本チャネル要素と拡張チャネル要素との各々の現在状態が通話状態と通話状態とから通話状態とアイドル状態とに遷移すれば、現在状態を組合せて呼がハンドオフ領域から基本領域に移動していることを示す組合状態を構成する。基本チャネル要素と拡張チャネル要素との各々の現在状態が通話状態と通話状態とからアイドル状態と通話状態とに遷移すれば、現在状態を組合せて呼がハンドオフ領域から拡張領域に移動していることを示す組合状態を構成する。
【００５４】
ステップＳ７００において、ＳＭＢ３０は、組合わせた状態をＳＰＢ６０及びＢＳＭ７０に報告する。
【００５５】
上記実施例を用いて本発明に係る技術思想を具体的に説明したが、本発明は上記実施例は制限されるものでない。また、本発明の技術分野における通常の専門家であるならば、本発明の技術的思想の範囲内において種々の実施例の変更を行うことが可能であることは言うまでもない。
【００５６】
【発明の効果】
上述したように本発明によれば、ＢＣＰ／ＣＣＰの状態管理ブロックで基本領域チャネル要素と拡張領域チャネル要素とから報告されるチャネル状態を組合処理して呼処理／資源割当／統計処理／基地局管理ブロックに提供することによって、システムの変更を最小化しながら、拡張通話圏域基地局の運用が可能となる効果がある。また、拡張通話圏域内での移動端末器に対する詳細情報を提供することによって、統計処理とシステム管理とをより細かく效率的に行うことが可能となる。
【図面の簡単な説明】
【図１】本発明にかかる拡張通話圏域基地局でのチャネル状態管理方法を行うためのブロック構成図である。
【図２】本発明にかかる拡張通話圏域基地局でチャネル状態を管理し、ＣＰＢ／ＲＡＢにチャネル状態を報告する方法を示したフローチャートである。
【図３】本発明にかかる拡張通話圏域基地局でチャネル状態を管理し、ＳＰＢ／ＢＳＭにチャネル状態を報告する方法を示したフローチャートである。
【符号の説明】
３０    状態管理ブロック
４０    呼処理ブロック
５０    資源割当ブロック
６０    統計処理ブロック
７０    基地局管理装置
【図１】
0003569723.tif 000002
【図２】
0003569723.tif 000003
【図３】
0003569723.tif 000004